(57)【要約】【課題】モニタ上に表示された番組情報からジャンル別に所望の番組を選択しようとしても、番組情報が多数あるので所望の番組の選択に手数がかかり、番組の選択、決定が容易に迅速にできなかった。そこで、この問題点を解決する。【解決手段】番組情報を表示する画面上に、番組情報と共にもジャンル検索画面２４、３２を表示し、このジャンル検索用画面２４、３２に従って検索された番組情報を選択されないジャンルの番組を消去し選択されたジャンルの番組情報のみ表示する。そして、この選択された番組タイトルのみが表示された画面上から所望の番組タイトルを選択、決定する。【選択図】　　　図１
2004140722.tif 000002
【特許請求の範囲】
【請求項１】
放送送信側より伝送されるテレビジョン信号を受信するテレビジョン信号受信装置において、前記テレビジョン信号に係る番組情報データを記憶する番組情報記憶手段と、前記番組情報記憶手段から前記番組情報データを読み出してモニタ画面上に番組情報を表示する表示手段と、前記表示手段の画面に前記番組情報と共に大ジャンル検索画面を表示する大ジャンル検索画面表示手段と、前記表示手段により表示された番組タイトルを大ジャンル検索画面に従ってジャンルを選択する大ジャンル選択手段と、前記大ジャンル選択手段により選択されない番組タイトルを消去して選択された大ジャンルの番組タイトルのみを表示する大ジャンル番組表示手段と、前記大ジャンル番組の表示画面に中ジャンル検索画面を表示する中ジャンル検索画面表示手段と、前記大ジャンル番組から中ジャンル検索画面に従ってジャンルを選択する中ジャンル選択手段と、前記中ジャンル選択手段により選択されない番組タイトルを消去して選択された中ジャンルの番組タイトルのみを表示する中ジャンル番組表示手段と、前記表示手段により表示された番組情報表示画面をスクロールするスクロール手段と、前記スクロール手段によって得られる新たな番組情報が前記大ジャンル選択手段及び中ジャンル選択手段によって選択されないジャンルの番組タイトルを消去して選択されたジャンルの番組タイトルのみを表示するスクロール表示手段と、それぞれの番組情報から所望の番組タイトルを選択して決定する決定手段とを備えていることを特徴とするテレビジョン信号受信装置。
【請求項２】
放送送信側より伝送されるテレビジョン信号を受信するテレビジョン信号受信装置において、前記テレビジョン信号に係る番組情報データを記憶する番組情報記憶手段と、前記番組情報記憶手段から前記番組情報データを読み出してモニタ画面上に番組情報を表示する表示手段と、前記表示手段の画面に前記番組情報と共にジャンル検索画面を表示するジャンル検索画面表示手段と、前記表示手段により表示された番組タイトルを前記ジャンル検索画面に従ってジャンルを選択するジャンル選択手段と、前記ジャンル選択手段により選択されない番組タイトルを消去して選択されたジャンル番組タイトルのみを表示するジャンル番組表示手段と、それぞれの番組情報から所望の番組タイトルを選択して決定する決定手段とを備えていることを特徴とするテレビジョン信号受信装置。
【請求項３】
放送送信側より伝送されるテレビジョン信号を受信するテレビジョン信号受信装置において、前記テレビジョン信号に係る番組情報データを受信して記憶する番組情報記憶手段と、前記番組情報記憶手段から前記番組情報データを読み出してモニタ画面上に番組情報を表示する表示手段と、前記表示手段の画面に前記番組情報と共に大ジャンル検索画面を表示する大ジャンル検索画面表示手段と、前記表示手段により表示された番組タイトルを前記大ジャンル検索画面に従ってジャンルを選択する大ジャンル選択手段と、前記大ジャンル選択手段により選択されない大ジャンルの番組タイトルを消去して選択された大ジャンルの番組タイトルのみを表示する大ジャンル番組表示手段と、前記大ジャンル番組の表示画面に中ジャンル検索画面を表示する中ジャンル検索画面表示手段と、前記大ジャンル番組から中ジャンル検索画面に従ってジャンルを選択する中ジャンル選択手段と、前記中ジャンル選択手段により選択されない中ジャンルの番組タイトルを消去して選択された中ジャンルの番組タイトルを表示する中ジャンル番組表示手段と、それぞれの番組情報から所望の番組タイトルを選択して決定する決定手段とを備えていることを特徴とするテレビジョン信号受信装置。
【請求項４】
放送送信側より伝送れるテレビジョン信号を受信するテレビジョン信号受信装置において、前記テレビジョン信号に係る番組情報データを記憶し、前記記憶された番組情報データを読み出し、読み出された前記番組情報と共に大ジャンル検索画面をモニタ画面上に表示し、前記大ジャンル検索画面に従って選択された結果が選択されない大ジャンルの番組タイトルを消去し選択された大ジャンルの番組タイトルのみを表示すると共に中ジャンル検索画面を同一画面上に表示し、中ジャンル検索画面に従って検索された結果が選択されない中ジャンルの番組タイトルを消去し選択された中ジャンルの番組タイトルのみを表示し、スクロールされて得られた新たな番組タイトルが前記ジャンルの選択結果と同じく選択されない大ジャンル、中ジャンルの番組タイトルを消去し選択された大ジャンル、中ジャンルの番組タイトルのみを表示し、それぞれの番組情報から所望の番組タイトルを選択して決定することを特徴とするテレビジョン信号受信方法。
【請求項５】
放送送信側より伝送されるテレビジョン信号を受信するテレビジョン信号受信装置において、前記テレビジョン信号に係る番組情報データを記憶し、前記記憶された番組情報データを読み出し、読み出された前記番組情報と共にジャンル検索画面をモニタ画面上に表示し、前記ジャンル検索画面に従って選択された結果が選択されないジャンルの番組タイトルを消去し選択された番組タイトルのみを表示し、それぞれの番組情報から所望の番組タイトルを選択して決定することを特徴とするテレビジョン信号受信方法。
【請求項６】
放送送信側より伝送されるテレビジョン信号を受信するテレビジョン信号受信装置において、前記テレビジョン信号に係る番組情報データを記憶し、前記記憶された番組情報データを読み出し、読み出された前記番組情報と共に大ジャンル検索画面をモニタ画面上に表示し、前記大ジャンル検索画面に従って選択された結果が選択されないジャンルの番組タイトルを消去し選択された番組タイトルのみを表示すると共に中ジャンル検索画面を同一画面上に表示し、中ジャンル検索画面に従って検索された結果が選択されないジャンルの番組タイトルを消去し選択された番組タイトルのみを表示し、それぞれの番組情報から所望の番組タイトルを選択して決定することを特徴とするテレビジョン信号受信方法。
【発明の詳細な説明】
【０００１】
【発明の属する技術分野】
本発明は放送送信側より伝送されるテレビジョン信号を受信するテレビジョン信号受信装置において、テレビジョン信号に係る番組情報データに基づき所望の番組タイトルを選択して決定するテレビジョン信号受信装置及びテレビジョン信号受信方法に関する。
【０００２】
【従来の技術】
例えば、通信衛星放送（ＣＳ：Ｃｏｍｍｕｎｉｃａｔｉｏｎ　Ｓａｔｅｌｌｉｔｅ）や放送衛星（ＢＳ：Ｂｒｏａｄｃａｓｔｉｎｇ　Ｓａｔｅｌｌｉｔｅ）を用いたディジタル衛星テレビジョン放送においては、視聴者に対するサービスの一環として電子番組ガイド（ＥＰＧ：ＥｌｅｃｔｒｏｎｉｃＰｒｏｇｒａｍ　Ｇｕｉｄｅ）が映像及び音声のデータと共に送信されている。また、今後放送が予定されている地上波ディジタルテレビジョン放送においても前記ＥＰＧのサービスが行われると考えられる。
【０００３】
ディジタルテレビジョン放送は多チャンネル放送であることにより、ＥＰＧは視聴者のチャンネルを選択する情報源として極めて重要である。そこで、受信側において、受信されるデータに含まれるＥＰＧを画面上に表示するようにしている。そして、視聴者は、その画面上の夫々チャンネルの番組タイトル、内容、放送時間等を把握し、この多数の番組情報から所望のチャンネルの番組タイトルを選択するようにしている。
【０００４】
このように多数のチャンネル、番組、時間等の情報が同時に画面上で表示されると、視聴者はその選択に手間がかかってしまう。そこで、視聴者が望んでいるジャンルから検索して所望のチャンネルの番組タイトルを選択することが取られている。
【０００５】
ジャンルから検索する技術（第１の従来技術）としては、ジャンルの検索条件設定画面をＥＰＧ画面とは別画面でモニタ上に表示し、この画面でジャンルの検索を行うものが提案されている（例えば、特許文献１参照）。
【０００６】
また、検索結果を表示する技術（第２の従来技術）としては、モニタ上に表示された電子番組表から番組をジャンル別に抽出し、この抽出された番組表を別途作成するものが提案されている（例えば、特許文献２参照）。
【０００７】
【特許文献１】
特開２０００−３４１６０１号公報
【特許文献２】
特開２００１−７８１０７号公報
【０００８】
【発明が解決しようとする課題】
しかしながら、前記第１の従来技術にあっては、ＥＰＧ画面とは別にモニタ上に検索条件設定画面を作成し、この画面に基づいて検索設定を行うため、前提となるＥＰＧ画面を直接に確認しつつ行うことができない。これは，実際の検索設定を行う上で支障となる。例えば、検索結果がＥＰＧ画面のどのところに位置しているのかを確認したい場合は、その都度、画面の切換を行わなければならない。そのため、満足する検索設定を得るには多大な手数がかかってしまう。
【０００９】
また、前記第２の従来技術にあっては、抽出されたジャンルの番組が表に組み直されてモニタ上に表示されるため、抽出前の電子番組表との関連性を知ることができない。特に、ジャンルを大きな概念から小さな概念へと段階的に落し込んでいく場合にあって、前々段階の番組表との相関を取ることができない。これは、視聴者にとっては、抽出結果がＥＰＧのどのところに位置されているのかを直接に把握できないという問題点があった。
【００１０】
本発明は、上記従来技術の有する課題を解決し、モニタ上に表示されたテレビジョン信号の番組情報データからジャンル別に番組を選択することが容易にできる受信装置及び受信方法を提供することを目的とする。
【００１１】
【課題を解決するための手段】
上記目的を達成するために、本発明の装置は、放送送信側より伝送されるテレビジョン信号を受信するテレビジョン信号受信装置において、前記テレビジョン信号に係る番組情報データを記憶する番組情報記憶手段（例えば、メモリ７から構成される手段）と、前記番組情報記憶手段から前記番組情報データを読み出してモニタ画面上に番組情報を表示する表示手段（例えば、ＥＰＧデコーダ６、ＥＰＧ画面構成部１７、画像表示部１０等から構成される手段）と、前記表示手段の画面に前記番組情報と共に大ジャンル検索画面を表示する大ジャンル検索画面表示手段（例えば、ＥＰＧデコーダ６、システム制御部１４、ＥＰＧ画面構成部１７等から構成される手段）と、前記表示手段により表示された番組タイトルを大ジャンル検索画面に従ってジャンルを選択する大ジャンル選択手段（例えば、システム制御部１４、カーソル制御部１５等から構成される手段）と、前記大ジャンル選択手段により選択されない番組タイトルを消去して選択された大ジャンルの番組タイトルのみを表示する大ジャンル番組表示手段（例えば、ＥＰＧ画面構成部１７、画像表示部１０等から構成される手段）と、前記大ジャンル番組の表示画面に中ジャンル検索画面を表示する中ジャンル検索画面表示手段（例えば、ＥＰＧデコーダ６、ＥＰＧ画面構成部１７、画像表示部１０等から構成される手段）と、前記大ジャンル番組から中ジャンル検索画面に従ってジャンルを選択する中ジャンル選択手段（例えば、システム制御部１４、カーソル制御部１５等から構成される手段）と、前記中ジャンル選択手段により選択されない番組タイトルを消去して選択された中ジャンルの番組タイトルのみを表示する中ジャンル番組表示手段（例えば、ＥＰＧ画面構成部１７、画像表示部１０等から構成される手段）と、前記表示手段により表示された番組情報表示画面をスクロールするスクロール手段（例えば、スクロール制御部１６から構成される手段）と、前記スクロール手段によって得られる新たな番組情報が前記大ジャンル選択手段及び中ジャンル選択手段によって選択されないジャンルの番組タイトルを消去して選択されたジャンルの番組タイトルのみを表示するスクロール表示手段（例えば、ＥＰＧデコーダ６、ＥＰＧ画面構成部１７、画像表示部１０等から構成される手段）と、それぞれの番組情報から所望の番組タイトルを選択して決定する決定手段（例えば、システム制御部１４、カーソル制御部１５等から構成される手段）とを備えているテレビジョン信号受信装置である。
【００１２】
また、上記目的を達成するために、本発明の装置は、放送送信側より伝送されるテレビジョン信号を受信するテレビジョン信号受信装置において、前記テレビジョン信号に係る番組情報データを記憶する番組情報記憶手段（例えば、メモリ７から構成される手段）と、前記番組情報記憶手段から前記番組情報データを読み出してモニタ画面上に番組情報を表示する表示手段と（例えば、ＥＰＧデコーダ６、ＥＰＧ画面構成部１７、画像表示部１０等から構成される手段）、前記表示手段の画面に前記番組情報と共にジャンル検索画面を表示するジャンル検索画面表示手段（例えば、ＥＰＧデコーダ６、ＥＰＧ画面構成部１７、画像表示部１０等から構成される手段）と、前記表示手段により表示された番組タイトルを前記ジャンル検索画面に従ってジャンルを選択するジャンル選択手段（例えば、システム制御部１４、カーソル制御部１５等から構成される手段）と、前記ジャンル選択手段により選択されない番組タイトルを消去して選択されたジャンル番組タイトルのみを表示するジャンル番組表示手段（例えば、ＥＰＧ画面構成部１７、画像表示部１０等から構成される手段）と、それぞれの番組情報から所望の番組タイトルを選択して決定する決定手段（例えば、システム制御部１４、カーソル制御部１５等から構成される手段）とを備えているテレビジョン信号受信装置である。
【００１３】
更に、上記目的を達成するために、本発明の装置は、放送送信側より伝送されるテレビジョン信号を受信するテレビジョン信号受信装置において、前記テレビジョン信号に係る番組情報データを記憶する番組情報記憶手段（例えば、メモリ７から構成される手段）と、前記番組情報記憶手段から前記番組情報データを読み出してモニタ画面上に番組情報を表示する表示手段（例えば、ＥＰＧデコーダ６、ＥＰＧ画面構成部１７、画面表示部１０等から構成される手段）と、前記表示手段の画面に前記番組情報と共に大ジャンル検索画面を表示する大ジャンル検索画面表示手段（例えば、ＥＰＧデコーダ６、ＥＰＧ画面構成部１７、画像表示部１０等から構成される手段）と、前記表示手段により表示された番組タイトルを前記大ジャンル検索画面に従ってジャンルを選択する大ジャンル選択手段（例えば、システム制御部１４、カーソル制御部１５等から構成される手段））と、前記大ジャンル選択手段により選択されない大ジャンルの番組タイトルを消去して選択された大ジャンルの番組タイトルのみを表示する大ジャンル番組表示手段（例えば、ＥＰＧ画面構成部１７、画像表示部１０等から構成される手段）と、前記大ジャンル番組の表示画面に中ジャンル検索画面を表示する中ジャンル検索画面表示手段（例えば、ＥＰＧデコーダ６、ＥＰＧ画面構成部１７、画像表示部１０等から構成される手段）と、前記大ジャンル番組から中ジャンル検索画面に従ってジャンルを選択する中ジャンル選択手段（例えば、システム制御部１４、カーソル制御部１５等から構成される手段）と、前記中ジャンル選択手段により選択されない中ジャンルの番組タイトルを消去して選択された中ジャンルの番組タイトルを表示する中ジャンル番組表示手段（例えば、ＥＰＧ画面構成部１７、画像表示部１０等から構成される手段）と、それぞれの番組情報から所望の番組タイトルを選択して決定する決定手段（例えば、システム制御部１４、カーソル制御部１５等から構成される手段）とを備えているテレビジョン信号受信装置である。
【００１４】
一方、上記目的を達成するために、本発明の方法は、放送送信側よりテレビジョン信号と共に伝送されて受信し記憶された番組情報データを読み出し（例えば、ＥＰＧデコーダ６による読み出す制御）、読み出された前記番組情報と共に大ジャンル検索画面をモニタ画面上に表示し（例えば、ＥＰＧデコーダ６、ＥＰＧ画像構成部１７、画像表示部１０等による表示制御）、前記大ジャンル検索画面に従って選択された結果が選択されない大ジャンルの番組タイトルを消去し選択された大ジャンルの番組タイトルのみを表示すると共に中ジャンル検索画面を同一画面上に表示し（例えば、ＥＰＧデコーダ６、ＥＰＧ画像表示部１７、画像表示部１０等による表示制御）、中ジャンル検索画面に従って検索された結果が選択されない中ジャンルの番組タイトルを消去し選択された中ジャンルの番組タイトルのみを表示し（例えば、ＥＰＧ画面構成部１７、画像表示部１０等による表示制御）、スクロールされて得られた新たな番組タイトルが前記ジャンルの選択結果と同じく選択されない大ジャンル、中ジャンルの番組タイトルを消去し選択された大ジャンル、中ジャンルの番組タイトルのみを表示し（例えば、スクロール制御部１６、ＥＰＧデコーダ６、ＥＰＧ画面構成部１７、画像表示部１０等による表示制御）、それぞれの番組情報から所望の番組タイトルを選択して決定する（例えば、システム制御部１４、カーソル制御部１５等による決定制御）テレビジョン信号受信方法である。
【００１５】
また、上記目的を達成するために、本発明の方法は、放送送信側よりテレビジョン信号と共に伝送されて受信し記憶された番組情報データを読み出し（例えば、ＥＰＧデコーダ６による読み出す制御）、読み出された前記番組情報と共にジャンル検索画面をモニタ画面上に表示し（例えば、ＥＰＧデコーダ６、ＥＰＧ画面構成部１７、画像表示部１０等による表示制御）、前記ジャンル検索画面に従って選択された結果が選択されないジャンルの番組タイトルを消去し選択された番組タイトルのみを表示し（例えば、システム制御部１４、カーソル制御部１５、ＥＰＧ画面構成部１７、画像表示部１０等による表示制御）、それぞれの番組情報から所望の番組タイトルを選択して決定する（例えば、システム制御部１４、カーソル制御部１５等による決定制御）テレビジョン信号受信方法である。
【００１６】
更に、上記目的を達成するために、本発明の方法は、放送送信側よりテレビジョン信号と共に伝送されて受信し記憶された番組情報データを読み出し（例えば、ＥＰＧデコーダ６による読み出す制御）、読み出された前記番組情報と共に大ジャンル検索画面をモニタ画面上に表示し（例えば、ＥＰＧデコーダ６、ＥＰＧ画面構成部１７、画像表示部１０等による表示制御）、前記大ジャンル検索画面に従って選択された結果が選択されないジャンルの番組タイトルを消去し選択された番組タイトルのみを表示すると共に中ジャンル検索画面を同一画面上に表示し（例えば、ＥＰＧデコーダ６、カーソル制御部１５、画像表示部１０等による表示制御）、中ジャンル検索画面に従って検索された結果が選択されないジャンルの番組タイトルを消去し選択された番組タイトルのみを表示し（例えば、ＥＰＧ画像構成部１７、画像表示部１０等による表示制御）、それぞれの番組情報から所望の番組タイトルを選択して決定する（例えばシステム制御部１４、カーソル制御部１５等による表示制御）テレビジョン信号受信方法である。
【００１７】
【発明の実施の形態】
以下、図面を用いて本発明の実施の形態について説明する。
【００１８】
図１は、本発明の実施の形態の一例におけるディジタルテレビ放送のテレビジョン信号受信装置を示すブロック図である。１はテレビジョン信号受信装置であり、チューナ部２、デマルチプレクサ３、ビデオデコーダ４、オーディオデコーダ５、ＥＰＧデコーダ６、メモリ７、表示制御部８、デジタル／アナログ変換部９、画像表示部１０、音声出力部１１、受光部１２、リモートコントローラ１３、システム制御部１４、カーソル制御部１５、スクロール制御部１６、ＥＰＧ画面構成部１７及びこれら構成部を接続するバス１８からなっている。なお、テレビジョン信号受信装置１には、リモートコントローラ１３と実質的に同一構成である操作部が設けられているが、説明の便宜上その説明を省略する。
【００１９】
チューナ部２は、アンテナからの放送データを受信し、復調、誤り訂正等の処理を実行する。チューナ部２で処理されたデータ、トランスポートストリーム（ＴＳ）はデマルチプレクサ３に供給され、即ち複数チャンネル分の映像データ、音声データ及びＥＰＧデータ等が時分割多重化されているＴＳから、所望のチャンネルの映像データＤ１、音声データＤ２及びＥＰＧデータＤ３を取り出す。そして、映像データＤ１はビデオデコーダ４に供給し、音声データＤ２はオーディオデコーダ５に供給し、ＥＰＧデータＤ３はメモリに供給する。
【００２０】
ビデオデコーダ４は、デマルチプレクサ３からの映像データＤ１を復号化し、この復合化されたデータを表示制御部８に供給して画像表示部１０、即ちモニタ画面上に映像を映し出すようにしている。オーディオデコーダ５は、デマルチプレクサ３からの音声データＤ２を復号化し、この復号化されたデータをデジタル／アナログ変換部９に供給して音声出力部１１、即ちスピーカにより音声を出力する。
【００２１】
ＥＰＧデコーダ６は、デマルチプレクサ３からのＥＰＧデータＤ３を復号化してＥＰＧ表示データＤ４を生成するが、ＥＰＧデータＤ３はＥＰＧデコーダ６に供給される前に、一旦、メモリ７に記憶される。そして、メモリ７に記憶されたＥＰＧデータＤ３は、リモートコントローラ１３の操作によりＥＰＧ表示のスタートの指示があった場合にＥＰＧデコーダ６に対して入力される。従って、ＥＰＧデコーダ６は、メモリ７からのＥＰＧデータＤ３を復号化してＥＰＧ表示データＤ４を生成しＥＰＧ画面構成部１７へ供給する。ＥＰＧ画面構成部１７はＥＰＧ表示データＤ４に基づいてＥＰＧ画面を構成する。この構成されたデータは、表示制御部８から画面表示部１０に供給され、図２で示すようにモニタ画面上で後述する大ジャンル検索画面を付して表示される。
【００２２】
画面表示部１０で表示されるＥＰＧは、社団法人電波産業会（通称ＡＲＩＢ）標準規格「デジタル放送に使用する番組配列情報」等でなされているデータ構造で伝送され、多数のチャンネル番号、番組タイトル、時間等の多種多様の情報からなる。その一例を図２の説明図で示す。この画面２０は、横軸２１が放送時間で縦軸２２がチャンネルであり、その放送時間とチャンネルに相当する番組のタイトルが表示されている。このようにして番組表２３がモニタ画面上に表示されるが、画面２０の下方には、大ジャンル検索画面２４の表示がなされている。大ジャンルは、「全て」を含めて「ニュース報道」「スポーツ」「情報ワイドショー」「ドラマ」「音楽」「バラエティ」「映画」「アニメ・特撮」「ドキュメンタリー・教養」「劇場公演」「趣味・教育」「福祉」「その他」の１４種に分けられている。
【００２３】
画面２０において目的とするジャンルを選択するには、リモートコントロール１３によりカーソル制御部１５を制御して、例えば、「スポーツ」のところにカーソルを移動させ、そこで決定の操作を行えばシステム制御部１４が「スポーツ」のジャンルの番組タイトルのみ、即ち選択されない他のジャンルの番組タイトルを消去して画面表示部１０で表示するように表示制御部８を制御する。これは、ＥＰＧ画面構成部１４が各番組情報に付された大ジャンルのインデックスデータを判別することによって得られる。
【００２４】
図３は、上述した大ジャンルの選択結果を示す説明図である。画面３０では、選択されないジャンルの番組タイトルが消去され「スポーツ」のみが表示されている。このようにして大ジャンル番組表３１がモニタ画面上に表示されるが、画面３０の下方には、中ジャンル検索画面３２の表示が同時になされている。これは、ＥＰＧ画面構成部１７、表示制御部８等によって実行される。中ジャンルは「スポーツ」に係る「スポーツニュース」「野球」「サッカー」「ゴルフ」「その他の球技」「相撲・格闘技」「オリンピック・国際大会」「マラソン・陸上・水泳」「モータースポーツ」「マリン・ウィンタースポーツ」「競馬・公営競技」「その他」の１２種に区分されている。その他の大ジャンルにおいても夫々多数の中ジャンルが予め定義されているがその説明は省略する。
【００２５】
上記画面３０において目的とする中ジャンルを選択するには、リモートコントロール１３によりカーソル制御部１５を制御して、例えば「野球」のところにカーソルを移動させ、そこで決定の操作を行えばシステム制御部１４が「野球」のジャンルの番組タイトルのみ、即ち選択されていない他のジャンルの番組タイトルを消去して画面表示部１０で表示するように表示制御部８を制御する。
【００２６】
図４は、上述した中ジャンルの選択結果を示す説明図である。画面４０には、ジャンル「野球」のみの番組タイトルが表示され、他は全て消し込みされた番組表４１が表示されている。ここで、リモートコントローラ１３によりカーソル制御部１５を制御して、「野球」の中で所望の番組タイトルを選択して決定すれば、チューナ部２は放送送信側から伝送されるテレビジョン信号から選択された番組タイトルに相当するチャンネルを選択し、その映像データＤ１、音声データＤ２がビデオデコーダ４、オーディオデコーダ５で復号化され、表示制御部８、デジタル／アナログ変換部９を介して画像表示部１０、音声出力部１１に供給される。
【００２７】
一方、図３、図４で示される番組表３１、４１は、リモートコントローラ１３によってスクロール制御部１６を制御して横軸方向あるいは縦軸方向にスクロールされる。これは、ＥＰＧデコーダ６がメモリ７よりスクロールされた新しいＥＰＧデータＤ３を読み出して新しいＥＰＧ表示データＤ４を生成することにより新、旧の番組表の入れ替えを連続的に実行する。このとき、システム制御部１４は、ＥＰＧ画面構成部１７から得られるデータが選択されたジャンルの番組タイトルのみを表示されるように制御する。従って、画面表示部１０にはスクロールされても選択されたジャンルに相当する番組タイトルにみが表示される。
【００２８】
次に、視聴者の取り扱い方法について、図５のリモートコントローラの説明図、図６のフローチャートに基づき説明する。
【００２９】
視聴者は、リモートコントローラ１３の電源ボタン５０を操作してテレビジョン信号受信装置１を作動させれば、テレビジョン信号受信装置１がテレビジョン信号と共に伝送される番組情報、即ちＥＰＧを受信する。視聴者はＥＰＧボタン５１を操作してＥＰＧからの番組選択を開始する。
【００３０】
ステップＳ１では、前述した図２で示すように画面２０に番組表２３と大ジャンル検索画面２４とが同時に表示される。
【００３１】
視聴者は、ステップＳ２で示すように、リモートコントローラ１３のカーソルボタン５２を操作してカーソルを大ジャンル検索画面２４の例えば「スポーツ」に移動し、決定ボタン５３を操作して決定する。この結果は、前述した図３で示すように大ジャンル番組表３１と中ジャンル検索画面３２とが同時に表示されることによって得られる。
【００３２】
視聴者は、大ジャンル番組表３１を見て検索結果を確認しつつ、ステップＳ３で示すように、次の中ジャンル検索を実行する。これは、再びカーソルボタン５２を
操作してカーソルを中ジャンル検索画面３２の「野球」に移動し、決定ボタン５３を操作して決定する。この結果は、前述した図４で示すように中ジャンル番組表４１がモニタ画面に表示されることによって得られる。
【００３３】
最後に、視聴者は、ステップＳ４で示すように、中ジャンル番組表４１から所望の番組タイトルをカーソルボタン５２、決定ボタン５３の操作によって選択決定する。この選択決定された番組タイトルのチャンネルが受信されて当該番組タイトルの映像が画像表示部１０で映し出され、音声が音声出力部１１で送出される。
【００３４】
番組の選択は、ステップＳ５で示すように全ての番組表２３から直接選択すること、あるいはステップＳ６で示すように大ジャンル番組表３１から選択することが可能である。これは、リモートコントローラ１３により、それぞれの時点で任意に選択操作を行うことにより達成される。
【００３５】
本発明の実施の態様の一例によれば、画像表示部１０に表示されたＥＰＧから大、中ジャンルという段階的なジャンル選択をする場合、ＥＰＧと同一画面上に大ジャンル、中ジャンル検索画面２４，３２が表示され、この大ジャンル、中ジャンル検索画面２４，３２を直接、カーソルにより検索を行って所望のジャンルの選択設定を行うことができる。そして、選択結果は消し込みされた番組表そのものであるため、視聴者は、全体的にどの程度選択されたのか、時間軸に対してどの程度の番組があるのかを視覚的に瞬時に判断できる。従って、所望の番組の検索設定が確実に容易できる。
【００３６】
また、大ジャンル検索画面２４（または、中ジャンル検索画面３２）が番組表２３（または、番組表３１）と同時に表示されるため、大ジャンル検索画面２４（または、中ジャンル検索画面３２）と番組表２３（または、番組表３１）との間での画面切換の必要がなくなり、検索に要する時間を少なくできる。また、スクロールしても新たに表示される番組タイトルは選択されたジャンルのみが自動的に表示されるので検索の範囲を変更しても改めてジャンル検索を設定する必要が無い。
【００３７】
図７以降の説明図では、本発明の実施の態様の他の例を示す。
【００３８】
図７は、上記他の例におけるＥＰＧの画面を示す説明図である。これは、画面７０の一部に番組表７１と共に大ジャンル表示位置７２、中ジャンル表示位置７３とが設けられている。そして、大ジャンル表示位置７２には、カーソル制御部１５の指示操作による大ジャンルデータの読み出しにより、図８で示すように前述した１４種の大ジャンル検索画面８０が表示されるようになっている。また、中ジャンル表示位置７３には、同じくカーソル制御部１５の指示操作による中ジャンルデータの読み出しにより、図１０で示すように前述した１２種の中ジャンル検索画面１００が表示されるようになっている。
【００３９】
このような大ジャンル検索画面８０、中ジャンル検索画面１００の表示は、システム制御部１４、ＥＰＧ画面構成部１７、表示制御部８等のソフトウェアによって達成される。
【００４０】
視聴者による取り扱い方法については、リモートコントロール１３の開始操作によってテレビジョン信号受信装置１がテレビジョン信号と共に伝送されるＥＰＧを受信する。そして、視聴者はＥＰＧボタン５１を操作してＥＰＧからの番組選択を開始する。
【００４１】
この開始操作により、図７で示すように画面７０に全ての番組表７１と大ジャンル表示位置７２と中ジャンル表示位置７３とが同時に表示される。そして、視聴者は、リモートコントローラ１３によるシステム制御部１４、カーソル制御部１５の制御により、大ジャンルデータを読み出して図８で示すように大ジャンル表示位置７２に大ジャンル検索画面８０を表示させる。そして、視聴者は、例えば「スポーツ」のところにカーソルを合わせ、そこで決定の操作を行えばシステム制御部１４が「スポーツ」の番組のみ、即ち選択されない番組タイトルを消去して画像表示部１０で表示するように制御する。
【００４２】
図９は、上述した大ジャンルの選択結果を示す説明図である。この画面９０では、選択されないジャンルの番組タイトルが消去され、「スポーツ」のジャンルの番組タイトルのみからなる番組表９１が表示されている。
【００４３】
次に、中ジャンルを検索する場合は、視聴者はリモートコントロール１３によるシステム制御部１４、カーソル制御部１５の制御により中ジャンルデータを読み出して図１０で示すように中ジャンル表示位置７３に中ジャンル検索画面１００を表示する。
【００４４】
そして、視聴者は、例えば「野球」のところにカーソルを合わせ、そこで決定の操作を行えばシステム制御部１４が「野球」の番組名のみ、即ち、選択されていない番組タイトルを消去して画像表示部１０で表示するように表示制御部８を制御する。
【００４５】
図１１は、上述した中ジャンルの選択結果を示す説明図である。画面１１０には、ジャンルが「野球」のみの番組タイトルが表示され、他は全て消し込みされた番組表１１１が表示されている。ここで、リモートコントローラ１３によりカーソル制御部１５を制御して、「野球」の中で所望の番組タイトルを選択して決定すれば、チューナ部２は放送送信側から伝送されるテレビジョン信号から選択された番組タイトルに相当するチャンネルを選択し、その映像データＤ１、音声データＤ２がビデオデコーダ４、オーディオデコーダ５で復号化され、表示制御部８、デジタル／アナログ変換部９を介して画像表示部１０、音声出力部１１に供給される。
【００４６】
一方、図９、図１０、図１１で示される番組表９１、１１１は、リモートコントローラ１３によってスクロール制御部１６を制御して横軸方向あるいは縦軸方向にスクロールされる。これは、ＥＰＧデコーダ６がメモリ７よりスクロールされた新しいＥＰＧデータＤ３を読み出して新しいＥＰＧ表示データＤ４を生成することにより新、旧の番組表の入れ替えを連続的に実行する。このとき、システム制御部１４は、ＥＰＧ画面構成部１７から得られるデータが選択されたジャンルの番組タイトルのみを表示されるように制御する。従って、画面表示部１０には選択されたジャンルに相当する番組タイトルのみが表示される。
【００４７】
本発明の実施の形態の他の例によれば、画像表示部１０に表示されたＥＰＧから大、中ジャンルという段階的なジャンル選択をする場合、ＥＰＧと同一画面上に大ジャンル、中ジャンルの検索画面８０、１００が表示され、これらの大ジャンル、中ジャンル検索画面８０、１００を直接、カーソルにより検索を行って所望のジャンルの選択設定を行うことができる。そして、選択結果は消し込みされた番組表そのものであるため、視聴者は、全体的にどの程度選択されたのか、時間軸に対してどの程度の番組があるのかを視覚的に瞬時に判断できる。従って、所望の番組の検索設定が確実に容易できる。
【００４８】
また、スクロールしても新たに表示される番組は選択されたジャンルのみが自動的に表示されるため、このように検索の範囲を拡大したときの操作が面倒でなく要する時間も少なくてすむ。
【００４９】
本発明の夫々の実施の態様では、選択決定された番組タイトルのチャンネルは直ちに画像表示部１０で画像が映し出され、音声出力部１１で音声が送出されたが、選択決定された番組タイトルをタイマー録画によって録画されるようにすることもできる。
【００５０】
また、本発明の夫々の実施の態様では、番組情報データはテレビジョン信号と共に伝送したが、これに限定されず、インターネットで伝送してもよく、更にＣＤ−ＲＯＭ等の記録媒体で配布されるものを利用しても良い等種々の方法がある。
【００５１】
更に、本発明の夫々の実施の態様では、画像表示部１０、音声出力部１１はテレビジョン信号受信装置１と一体としたが、別体であってもよい。
【００５２】
【発明の効果】
上述したように、本発明の請求項１によれば、表示手段により表示された番組情報と同一画面に大ジャンル検索画面を表示し、この画面で大ジャンルを検索して選択されない大ジャンルの番組タイトルを消し込み、この検索結果の画面に中ジャンル検索画面を同時に表示し、この画面の中で中ジャンルを検索して選択されない中ジャンルの番組タイトルを消し込むようにしたため、以下の効果がある装置を提供できる。
【００５３】
第１に、視聴者は、同一画面上で番組情報と検索画面との相関関係、即ち、全体的にどの程度の検索すべき番組タイトルがあるのか、どの程度の検索が進んでいるのかを直視できるので、多数の番組情報から所望の番組タイトルを容易に確実に選択できる。
【００５４】
第２に、視聴者は、大ジャンル、中ジャンルというように段階的に絞り込んで検索する際に、番組情報を見るためにその都度画面の切り替えの必要が無いので、簡単な操作で素早く所望の番組タイトルを選択できる。
【００５５】
また、画面をスクロールした場合に新たに表示される番組タイトルは、選択されたジャンルのみが自動的に表示されるため、チャンネル、放送時間等を変更して検索範囲を拡大しても視聴者が改めてジャンル検索操作をする必要が無い。従って、視聴者は簡単な操作で検索範囲を拡大して所望の番組タイトルの選択ができる装置を提供できる。
【００５６】
本発明の請求項２によれば、表示手段により表示された番組情報と同一画面にジャンル検索画面を表示し、この画面でジャンルを検索して選択されないジャンルの番組タイトルを消し込んで表示するようにしたため、以下の効果がある装置を提供できる。
【００５７】
第１に、視聴者は、同一画面上で番組情報と検索画面との相関関係、即ち、全体的にどの程度の検索すべき番組タイトルがあるのか、どの程度の検索が進んでいるのかを直視できるので、多数の番組情報から所望の番組タイトルを容易に確実に選択できる。
【００５８】
第２に、視聴者は、検索する際に、番組情報を見るためにその都度画面の切り替えの必要が無いので、簡単な操作で素早く所望の番組タイトルを選択できる。
【００５９】
本発明の請求項３によれば、表示手段により表示された番組情報と同一画面に大ジャンル検索画面を表示し、この画面で大ジャンルを検索して選択されない大ジャンルの番組タイトルを消し込み、この検索結果の画面に中ジャンル検索画面を同時に表示し、この画面の中で中ジャンルを検索して選択されない中ジャンルの番組タイトルを消し込むようにしたため、以下の効果がある装置を提供できる。
【００６０】
第１に、視聴者は、同一画面上で番組情報と検索画面との相関関係、即ち、全体的にどの程度の検索すべき番組タイトルがあるのか、どの程度の検索が進んでいるのかを直視できるので、多数の番組情報から所望の番組タイトルを容易に確実に選択できる。
【００６１】
第２に、視聴者は、大ジャンル、中ジャンルというように段階的に絞り込んで検索する際に、番組情報を見るためにその都度画面の切り替えの必要が無いので、簡単な操作で素早く所望の番組タイトルを選択できる。
【００６２】
本発明の請求項４によれば、表示手段により表示された番組情報と同一画面に大ジャンル検索画面を表示し、この画面で大ジャンルを検索して選択されない大ジャンルの番組タイトルを消し込み、この検索結果の画面に中ジャンル検索画面を同時に表示し、この画面の中で中ジャンルを検索して選択されない中ジャンルの番組タイトルを消し込むようにしたため、以下の効果がある方法を提供できる。
【００６３】
第１に、視聴者は、同一画面上で番組情報と検索画面との相関関係、即ち、全体的にどの程度の検索すべき番組タイトルがあるのか、どの程度の検索が進んでいるのかを直視できるので、多数の番組情報から所望の番組タイトルを容易に確実に選択できる。
【００６４】
第２に、視聴者は、大ジャンル、中ジャンルというように段階的に絞り込んで検索する際に、番組情報を見るためにその都度画面の切り替えの必要が無いので、
簡単な操作で素早く所望の番組タイトルを選択できる。
【００６５】
また、画面をスクロールした場合に新たに表示される番組タイトルは、選択されたジャンルのみが自動的に表示されるため、チャンネル、放送時間等を変更して検索範囲を拡大しても視聴者が改めてジャンル検索操作をする必要が無い。従って、視聴者は簡単な操作で検索範囲を拡大して所望の番組タイトルの選択ができる方法を提供できる。
【００６６】
本発明の請求項５によれば、表示手段により表示された番組情報と同一画面にジャンル検索画面を表示し、この画面でジャンルを検索して選択されないジャンルの番組タイトルを消し込んで表示するようにしたため、以下の効果がある方法を提供できる。
【００６７】
第１に、視聴者は、同一画面上で番組情報と検索画面との相関関係、即ち、全体的にどの程度の検索すべき番組タイトルがあるのか、どの程度の検索が進んでいるのかを直視できるので、多数の番組情報から所望の番組タイトルを容易に確実に選択できる。
【００６８】
第２に、視聴者は、検索する際に、番組情報を見るためにその都度画面の切り替えの必要が無いので、簡単な操作で素早く所望の番組タイトルを選択できる。
【００６９】
本発明の請求項６によれば、表示手段により表示された番組情報と同一画面にジャンル検索画面を表示し、この画面でジャンルを検索して選択されないジャンルの番組タイトルを消し込んで表示するようにしたため、以下の効果がある方法を提供できる。
【００７０】
第１に、視聴者は、同一画面上で番組情報と検索画面との相関関係、即ち、全体的にどの程度の検索すべき番組タイトルがあるのか、どの程度の検索が進んでいるのかを直視できるので、多数の番組情報から所望の番組タイトルを容易に確実に選択できる。
【００７１】
第２に、視聴者は、検索する際に、番組情報を見るためにその都度画面の切り替えの必要が無いので、簡単な操作で素早く所望の番組タイトルを選択できる。
【図面の簡単な説明】
【図１】本発明の実施の形態の一例を示すテレビジョン信号受信装置のブロック図である。
【図２】本発明の実施の形態の一例における大ジャンル検索前の画面を示す説明図である。
【図３】本発明の実施の形態の一例における大ジャンル検索結果の画面を示す説明図である。
【図４】本発明の実施の形態の一例における中ジャンル検索結果の画面を示す説明図である。
【図５】本発明の実施の形態の一例におけるリモートコントローラの説明図である。
【図６】本発明の実施の形態に一例おける動作を示すフローチャートである、
【図７】本発明の実施の形態の他の例における画面を示す説明図である。
【図８】本発明の実施の形態の他の例における大ジャンル検索前の画面を示す説明図である。
【図９】本発明の実施の形態の他の例における大ジャンル検索結果の画面を示す説明図である。
【図１０】本発明の実施の形態の他の例における中ジャンル検索前の画面を示す説明図である。
【図１１】本発明の実施の形態の他の例における中ジャンル検索結果の画面を示す説明図である。
【符号の説明】
１　　　　　　　　　　テレビジョン信号受信装置
６　　　　　　　　　　ＥＰＧデコーダ
７　　　　　　　　　　メモリ
８　　　　　　　　　　表示制御部
１０　　　　　　　　　画面表示部
１１　　　　　　　　　音声出力部
１３　　　　　　　　　リモートコントローラ
１４　　　　　　　　　システム制御部
１５　　　　　　　　　カーソル制御部
１６　　　　　　　　　スクロール制御部
１７　　　　　　　　　ＥＰＧ画面構成部
２０　　　　　　　　　画面
２３、３１、４１　　　番組表
２４　　　　　　　　　大ジャンル検索画面
３２　　　　　　　　　中ジャンル検索画面
５１　　　　　　　　　ＥＰＧボタン
５２　　　　　　　　　カーソルボタン
５３　　　　　　　　　決定ボタン
【図１】
2004140722.tif 000003
【図２】
2004140722.tif 000004
【図３】
2004140722.tif 000005
【図４】
2004140722.tif 000006
【図５】
2004140722.tif 000007
【図６】
2004140722.tif 000008
【図７】
2004140722.tif 000009
【図８】
2004140722.tif 000010
【図９】
2004140722.tif 000011
【図１０】
2004140722.tif 000012
【図１１】
2004140722.tif 000013